(57)【要約】【課題】  一時的にケーブルを床などに敷設する際に、ケーブルが邪魔にならず、かつ、ケーブルの敷設、撤去を容易に行うことができるケーブル支持具を提供する。【解決手段】  床Ｆに着脱自在な着脱部１１と、ケーブルＣを床Ｆ側に押した状態で支持する支持部１２とを備える。そして、着脱部１１を床Ｆに付着させ、支持部１２にケーブルＣを係止することで、ケーブルＣが床Ｆ側に押された状態で支持（敷設）される。また、着脱部１１を床Ｆから取り外すことでケーブルＣが撤去される。【選択図】  図１
2006325285.tif 000002
【特許請求の範囲】
【請求項１】
電源コードや通信線などのケーブルを床や壁などの被敷設体に敷設するためのケーブル支持具であって、
前記被敷設体に着脱自在な着脱部と、前記ケーブルを前記被敷設体側に押した状態で支持する支持部とを備えた、
ことを特徴とするケーブル支持具。
【請求項２】
前記着脱部が平板状に形成され、前記ケーブルを係止して支持する前記支持部が前記着脱部と一体的に形成されている、
ことを特徴とする請求項１に記載のケーブル支持具。
【請求項３】
前記着脱部が複数設けられ、前記ケーブルを前記被敷設体とによって挟持して支持する前記支持部が、前記着脱部と着脱部との間に架設されている、
ことを特徴とする請求項１に記載のケーブル支持具。
【請求項４】
前記着脱部が吸盤から構成されている、
ことを特徴とする請求項１から３のいずれか１項に記載のケーブル支持具。
【発明の詳細な説明】
【技術分野】
【０００１】
本発明は、ケーブルを床などに敷設するためのケーブル支持具に関し、特に、一時的にケーブルを床などに敷設するためのケーブル支持具に関する。
【背景技術】
【０００２】
電源コードや通信線、あるいは延長コードなどのケーブルは、細長くて軽いため、その自重だけで床や壁など（被敷設体）に敷設する（這わせる）と、部分的に床などから浮き上がってしまい、人の足などが引っ掛かってしまう。このため、永続的にケーブルを床などに敷設する場合には、ケーブルダクト（配線モール）などが用いられている。このケーブルダクトは、筒状のケーブルダクト本体を両面テープやピンなどによって床などに固定し、このケーブルダクト本体の中にケーブルを収納することで、ケーブルを床などから浮き上がらないように敷設するものである。
【０００３】
また、机の上などにケーブルを敷設する場合に、ケーブルが浮いて乱雑になるのを防止するための人形型ケーブル固定具兼用玩具も知られている（例えば、特許文献１参照。）。この人形型ケーブル固定具兼用玩具は、熊などの形をした玩具本体の足にケーブル滑り止めが設けられ、この足と玩具本体のアームとによってケーブルを保持する。そして、玩具本体を吸盤などの固定具によって机のなどに固定するものである。
【特許文献１】登録実用新案第３０９５８９３号公報
【発明の開示】
【発明が解決しようとする課題】
【０００４】
ところで、講演会やセミナーなどの会場において、ケーブルを床などに一時的（臨時）に敷設する必要が生じる場合がある。このような場合、講演会などが終了した後には、速やかにケーブルを撤去しなければならないため、上記のようなケーブルダクトを床に固定してケーブルを敷設することはできない。また、上記特許文献１に記載されているような人形型ケーブル固定具兼用玩具を床などに固定してケーブルを敷設しようとすると、この玩具自体が歩行などの障害（邪魔）となる。さらに、玩具本体の足とアームとによってケーブルを保持するため、保持されているケーブル部分が床から大きく浮いた状態となり、人の足などが引っ掛かってしまう。
【０００５】
このため、ケーブルを床などに一時的に敷設する場合には、粘着テープなどによってケーブルを床に固定（仮止め）させているのが実情であった。しかしながら、講演会などが終了しケーブルを撤去する場合、粘着テープなどを床などから剥がすのに時間と労力とを要し、しかも、きれいに剥がすことができずに、床などを汚してしまう場合がある。さらに、一度使用した粘着テープなどは、そのままでは再利用することができず、資源の無駄などを招いていた。
【０００６】
そこで本発明は、一時的にケーブルを床などに敷設する際に、ケーブルが邪魔にならず、かつ、ケーブルの敷設、撤去を容易に行うことができるケーブル支持具を提供することを目的とする。
【課題を解決するための手段】
【０００７】
上記目的を達成するために請求項１に記載の発明は、電源コードや通信線などのケーブルを床や壁などの被敷設体に敷設するためのケーブル支持具であって、被敷設体に着脱自在な着脱部と、ケーブルを被敷設体側に押した状態で支持する支持部とを備えたことを特徴としている。
（作用）
着脱部を被敷設体に付着させ、支持部によってケーブルを支持することで、ケーブルが被敷設体側に押された状態で支持（敷設）される。また、着脱部を被敷設体から取り外すことでケーブルが撤去される。
【０００８】
請求項２に記載の発明は、請求項１に記載のケーブル支持具において、着脱部が平板状に形成され、ケーブルを係止して支持する支持部が着脱部と一体的に形成されていることを特徴としている。
（作用）
支持部にケーブルを係止することで、ケーブルが被敷設体側に押された状態で支持（敷設）される。
【０００９】
請求項３に記載の発明は、請求項１に記載のケーブル支持具において、着脱部が複数設けられ、ケーブルを被敷設体とによって挟持して支持する支持部が、着脱部と着脱部との間に架設されていることを特徴としている。
（作用）
支持部をケーブルに位置させて、複数の着脱部を被敷設体に付着させることで、被敷設体と支持部とによってケーブルが挟持された状態で支持（敷設）される。
【００１０】
請求項４に記載の発明は、請求項１から３のいずれか１項に記載のケーブル支持具において、着脱部が吸盤から構成されていることを特徴としている。
【発明の効果】
【００１１】
請求項１に記載の発明によれば、ケーブルが被敷設体側に押された状態で支持（敷設）されるため、ケーブルが被敷設体から浮き上がって歩行などの障害（邪魔）になることが抑えられる。また、着脱部を被敷設体に付着させ、支持部によってケーブルを支持することでケーブルを敷設でき、一方、着脱部を被敷設体から取り外すことでケーブルを撤去できる。このため、一時的にケーブルを被敷設体に敷設する際に、ケーブルの敷設、撤去を容易に行うことができる。しかも、粘着テープなどを用いないため、床などの被敷設体を汚したり、資源の無駄などを招くこともない。
【００１２】
請求項２に記載の発明によれば、着脱部が平板状に形成され、支持部が着脱部と一体的に形成されているため、ケーブル支持具全体を平板状に構成することが可能となる。このため、このようなケーブル支持具によってケーブルを敷設（支持）した際に、ケーブル支持具およびケーブルが邪魔になることが、さらに抑えられる。
【００１３】
請求項３に記載の発明によれば、複数の着脱部の配置や間隔を変えることで、敷設するケーブルの大きさや数、敷設方向などの敷設条件に応じて、ケーブルを適切かつ容易に敷設（支持）することが可能となる。
【００１４】
請求項４に記載の発明によれば、吸盤の着脱によって、被敷設体への着脱が容易に行える。しかも、吸盤によるため、床などの被敷設体を汚すこともない。
【発明を実施するための最良の形態】
【００１５】
以下、本発明を図示の実施形態に基づいて説明する。
〈実施形態１〉
図１は、本実施形態に係る第１のケーブル支持具１を示す側面図（ａ）と平面図（ｂ）である。このケーブル支持具１は、着脱部１１と支持部１２とから構成されている。
【００１６】
着脱部１１は、図示のように高さが低い平板状の円錐形の吸盤（吸着器）で、床Ｆ（被敷設体）に着脱自在となっている。また、支持部１２は、着脱部１１の上部中央に一体的に形成され、下側すなわち着脱部１１の吸盤面１１ａ側が開口している鍵形（Ｃ字形）をしている。そして、後述するように、支持部１２にケーブルＣを係止して支持した状態で、ケーブルＣが床Ｆ側に押さえられるように支持部１２の内形状と大きさとが設定されている。さらに、支持部１２にケーブルＣを係止した状態で、ケーブルＣができるだけ低く位置する（床Ｆに接近する）ように着脱部１１の高さおよび支持部１２の大きさが設定され、ケーブル支持具１全体が平板状になるように形成されている。また、このケーブル支持具１は、通常の吸盤と同様に、柔らかく可撓性が高い樹脂で成型され、着脱部１１による吸着および吸着解除、支持部１２による係止および係止解除がし易いようになっている。
【００１７】
このようなケーブル支持具１によって、電源コードや通信線、あるいは延長コードなどのケーブルＣを床Ｆに一時的（臨時）に敷設するには、次のようにすればよい。まず、ケーブルＣの敷設線路上の床Ｆにケーブル支持具１を配設する。すなわち、着脱部１１の吸盤面１１ａを床Ｆに押し当てて、着脱部１１を床Ｆに吸着（付着）させる。次に、支持部１２の開口からケーブルＣを挿入して、ケーブルＣを支持部１２に係止する。これにより、ケーブルＣが床Ｆ側に押された状態で支持される。そして、このようなケーブル支持具１の配設およびケーブルＣの支持を、ケーブルＣの敷設線路に沿って適当な間隔で行っていく。これにより、ケーブルＣが敷設線路に沿ってケーブル支持具１によって支持されながら、敷設されるものである。
【００１８】
一方、ケーブルＣが不要となり、ケーブルＣを撤去する場合には、ケーブルＣを支持部１２から外し（係止解除し）、着脱部１１を床Ｆから取り外す（吸着解除する）ことで、ケーブルＣおよびケーブル支持具１が撤去される。なお、着脱部１１（ケーブル支持具１）を床Ｆから取り外した後に、ケーブル支持具１の支持部１２からケーブルＣを外すようにしてもよいことは、勿論である。
【００１９】
以上のように、本ケーブル支持具１によれば、ケーブルＣが床Ｆ側に押された状態で支持（敷設）されるため、ケーブルＣが床Ｆから浮き上がって歩行などの障害（邪魔）になることが抑えられる。しかも、上記のように、ケーブル支持具１全体が平板状に形成され、ケーブルＣができるだけ低く位置するように着脱部１１の高さおよび支持部１２の大きさが設定されているため、ケーブル支持具１およびケーブルＣが邪魔になることが、さらに抑えられる。
【００２０】
また、ケーブル支持具１の着脱部１１を床Ｆに吸着させ、ケーブルＣを支持部１２に係止するだけでケーブルＣを敷設でき、一方、着脱部１１を床Ｆから取り外すだけでケーブルＣを撤去できる。すなわち、吸盤である着脱部１１を吸着させ、あるいは取り外すだけでケーブル支持具１を床Ｆに着脱でき、ケーブルＣを支持部１２に係止、あるいは係止解除するだけで、ケーブルＣを支持、あるいは支持解除できる。このため、一時的にケーブルＣを床Ｆに敷設する際に、ケーブルＣの敷設および撤去を容易に行うことができる。しかも、粘着テープなどを用いないため、床Ｆを汚したり、資源の無駄などを招くこともない。
【００２１】
ところで、本実施形態では、上記のように、支持部１２が着脱部１１の上部中央に設けられているが、着脱部１１の上部周縁、すなわち床Ｆにより近い部位に設けるようにしてもよい。これにより、ケーブルＣを支持部１２に係止した状態で、ケーブルＣが床Ｆにより接近して位置するようになり、ケーブルＣが歩行などの障害になることが、さらに抑えられる。
【００２２】
さらに、支持部１２を複数設けてもよく、その際、異なる方向にそれぞれの支持部１２を配設するようにしてもよい。これにより、敷設するケーブルＣの数や敷設方向などに応じて柔軟に、ケーブルＣを適切かつ容易に敷設することが可能となる。また、本実施形態では、ケーブルＣを床Ｆに敷設する場合について説明したが、壁などその他の被敷設体にも敷設することができるのは、勿論である。
【００２３】
図２は、本実施形態に係る第２のケーブル支持具２を示す側面図（ａ）と平面図（ｂ）である。このケーブル支持具２は、支持部２２が第１フック２２ａと第２フック２２ｂとから構成されている点で、上記第１のケーブル支持具１と構成が異なるものである。
【００２４】
第１フック２２ａおよび第２フック２２ｂは鍵形（Ｌ字形）で、互いの開口が対向するように、着脱部２１の上部中央に配設されている。また、第１フック２２ａおよび第２フック２２ｂの先端部間に、ケーブルＣの断面形状よりも小さい隙間２２ｃができるように配設されている。そして、この隙間２２ｃからケーブルＣを第１フック２２ａと第２フック２２ｂとの間に挿入することで、第１フック２２ａと第２フック２２ｂとによってケーブルＣが挟持されるようにして係止され、支持されるものである。
【００２５】
図３は、本実施形態に係る第３のケーブル支持具３を示す側面図（ａ）と平面図（ｂ）である。このケーブル支持具３は、板状の支持部３２が着脱部３１と一体的に形成されている点で、上記第１のケーブル支持具１と構成が異なるものである。
【００２６】
すなわち、着脱部３１の上部中央から支持部３２が下側（床Ｆ側）に延びるように形成され、着脱部３１を床Ｆに吸着させた際に、その先端部３２ａが床Ｆに当って床Ｆを押すように形成されている。そして、支持部３２と床Ｆとの間にケーブルＣを挿入することで、支持部３２と床Ｆとによって挟持された状態（支持部３２によって床Ｆ側に押された状態）でケーブルＣが支持されるものである。このように、支持部３２と床ＦとによってケーブルＣが挟持された状態で支持されるため、すなわち、ケーブルＣが床Ｆに接触した状態で敷設されるため、ケーブルＣが歩行などの障害になることが、極めて抑えられる。なお、第２のケーブル支持具２の着脱部２１および第３のケーブル支持具３の着脱部３１は、上記第１のケーブル支持具１の着脱部１１と同様の構成である。
〈実施形態２〉
図４は、本実施形態に係るケーブル支持具４を示す側面図（ａ）と平面図（ｂ）である。このケーブル支持具４は、２つの着脱部４１と１つの支持部４２とから構成されている。
【００２７】
着脱部４１は、上記実施形態１における着脱部１１と同様の構成であり、２つの着脱部４１と着脱部４１とを跨るようにして、板状の支持部４２が架設されている。この支持部４２は、可撓性が高い樹脂で形成され、着脱部４１と着脱部４１との間隔を変えることで、その中央部４２ａが湾曲したり真っ直ぐに延びたりするようになっている。
【００２８】
このような構成のケーブル支持具４によってケーブルＣを床Ｆに敷設するには、まず、支持部４２の中央部４２ａをケーブルＣに位置させ、この中央部４２ａと床ＦとによってケーブルＣが挟持されるように、２の着脱部４１、４１の間隔を調整する。そして、２の着脱部４１、４１を床Ｆに吸着させることで、支持部４２の中央部４２ａと床Ｆとによって挟持された状態（支持部４２によって床Ｆ側に押された状態）でケーブルＣが支持（敷設）されるものである。
【００２９】
このように、本ケーブル支持具４によれば、着脱部４１と着脱部４１との間隔を調整することで、支持部４２の中央部４２ａと床Ｆとの隙間の大きさを変えることができる。このため、敷設するケーブルＣの大きさや数、敷設方向などの敷設条件に応じて、ケーブルＣを適切かつ容易に支持（敷設）することが可能となる。また、支持部４２の中央部４２ａと床ＦとによってケーブルＣが挟持された状態で支持されるため、すなわち、ケーブルＣが床Ｆに接触した状態で敷設されるため、ケーブルＣが歩行などの障害になることが、極めて抑えられる。しかも、支持部４２の中央部４２ａの高さ、すなわちケーブル支持具４全体の高さが低く抑えられる。つまり、支持部４２の中央部４２ａの高さは、ケーブルＣの高さに支持部４２の肉厚を加えただけの高さとなる。このため、ケーブル支持具４が邪魔になることが、大きく抑えられる。
【００３０】
ところで、本実施形態では、２つの着脱部４１と１つの支持部４２とを備えているが、より多くの着脱部４１と支持部４２とを備えるようにしてもよい。すなわち、敷設するケーブルＣの数、敷設方向、分岐数などの敷設条件に応じて着脱部４１を複数配設し、これらの着脱部４１間に支持部４２を架設することで、敷設条件に応じた柔軟かつ適切な敷設が可能となる。さらに、着脱部４１と支持部４２とを組み合わせ（連結）自在にすることで、敷設条件に応じた柔軟かつ迅速、適切な敷設がより可能となる。
【００３１】
以上、この発明の実施形態について説明したが、具体的な構成は、上記の実施形態に限られるものではなく、この発明の要旨を逸脱しない範囲の設計の変更等があっても、この発明に含まれる。
【図面の簡単な説明】
【００３２】
【図１】本発明の実施形態１に係わる第１のケーブル支持具の側面図（ａ）と平面図（ｂ）。
【図２】本発明の実施形態１に係わる第２のケーブル支持具の側面図（ａ）と平面図（ｂ）。
【図３】本発明の実施形態１に係わる第３のケーブル支持具の側面図（ａ）と平面図（ｂ）。
【図４】本発明の実施形態２に係わるケーブル支持具の側面図（ａ）と平面図（ｂ）。
【符号の説明】
【００３３】
１〜４      ケーブル支持具
１１        着脱部
１１ａ      吸盤面
１２        支持部
２１        着脱部
２２        支持部
３１        着脱部
３２        支持部
４１        着脱部
４２        支持部
Ｃ          ケーブル
Ｆ          床（被敷設体）
【図１】
2006325285.tif 000003
【図２】
2006325285.tif 000004
【図３】
2006325285.tif 000005
【図４】
2006325285.tif 000006